(57)【要約】【目的】１本の筆で、多色に共用できる携帯用塗布具を得る。【構成】絵筆１は中空の胴部２の一端に穂先３を取付け、キャップ４を被せる。胴部２には溶き液８を充填し、他端に液体押し出し手段５を取付ける。液体押し出し手段５の外方端部にはピストン７出入自在に設け、ノック部６をノックする毎にピストン７が胴部２の中空部内を穂先３に向かって所定ストロークで前進し、胴部２内に充填された溶き液８を適量づつ押し出し、溶き液８を穂先３の内側へ押し出す。【選択図】  図１
2005225129.tif 000002
【特許請求の範囲】
【請求項１】
手で握るための胴部と、この胴部の端に取付けられた毛様体からなる穂先とを備え、この穂先に溶き液で溶いた塗布料を付着させて被塗布物へ塗布するための携帯用塗布具において、
前記胴部内に中空のタンクを設け、このタンク内に無色の前記溶き液を充填するとともに、この溶き液を前記胴部に設けられている液体押し出し手段により前記穂先の内側へ押し出すことを特徴とする携帯用塗布具。
【請求項２】
前記液体押し出し手段は、液体に押し出し圧力を発生するための押圧部を備え、この押圧部を１回押す毎に所定量の溶き液を押し出すことを特徴とする請求項１の携帯用塗布具。
【請求項３】
前記タンク内へ前記溶き液を補充自在としたことを特徴とする請求項１の携帯用塗布具。
【発明の詳細な説明】
【技術分野】
【０００１】
この発明は、例えば水彩画用絵筆等に利用して好適な携帯用塗布具に係り、特に絵の具等を溶かすための溶き液を内蔵したものに関する。
【背景技術】
【０００２】
携帯用筆として、墨を内蔵した筆ペンが公知である。このような筆ペンは、弾性変形可能な中空の胴部内へ墨汁を充填するとともに、胴部の先端に穂先を取付け、胴部を押すことにより、胴部内の墨汁を穂先の内側へ押し出すようになっている。また、筆ペンに限らず、口紅用の紅筆等も同様な構造をなしているものがある（特許文献１参照）。
【特許文献１】特開２００２−１６５６３７号公報
【発明の開示】
【発明が解決しようとする課題】
【０００３】
上記の筆ペン等は、予め胴部内へ着色液体を内蔵しておき、これを穂先の内側へ向かって滲み出させることにより穂先に着色液体を含ませて文字等を描くようになっているため、１色につき１本の筆を必要とし、複数色の着色液体を使用する場合には、その色数分だけの筆を必要とした。したがって１本の筆で複数色に共通使用できず、原則として色毎に使い捨てであった。
そこで本願発明は、１本の筆で多数の色等が異なる塗布料に共通使用できるようにすることを目的とする。
【課題を解決するための手段】
【０００４】
上記課題を解決するため本願の携帯用塗布具に係る請求項１は、手で握るための胴部と、この胴部の端に取付けられた毛様体からなる穂先とを備え、この穂先に溶き液で溶いた塗布料を付着させて被塗布物へ塗布するための携帯用塗布具において、
前記胴部内に中空のタンクを設け、このタンク内に無色の前記溶き液を充填するとともに、この溶き液を前記胴部に設けられている液体押し出し手段により前記穂先の内側へ押し出すことを特徴とする。
【０００５】
請求項２は上記請求項１において、前記液体押し出し手段は、液体に押し出し圧力を発生するための押圧部を備え、この押圧部を１回押す毎に所定量の溶き液を押し出すことを特徴とする。
【０００６】
請求項３は上記請求項１において、前記タンク内へ前記溶き液を補充自在としたことを特徴とする。
【発明の効果】
【０００７】
請求項１によれば、胴部を中空とし、この中に溶き液を内蔵するとともに、液体押し出し手段により溶き液を穂先の内側へ押し出すようにしたので、押し出された溶き液が穂先を潤す。そこでこの塗布具を絵の具等の塗布料の上に置けば、塗布料が溶解して穂先の表面に付着するので、これを被塗布物へ塗布することにより、通常の筆と同様に描画等が可能となる。
【０００８】
しかも、溶き液は無色であるから、塗布料の色等が異なっても詰め替えを不要とし、穂先を洗うことにより共通使用できる。したがって、１本の塗布具だけで色等の異なる多種類の塗布料に対して共通使用でき、しかも溶き液を塗布具と別に持ち歩く必要がないから、携帯に適したものになる。
【０００９】
また、穂先を洗う場合には、溶き液を多めに押し出せば、穂先の内側から表面へ向かって溶き液が押し出され、表面に付着した塗布料を洗い流すことができ、直ちに別の色等の塗布料に対して使用できる。したがって、穂先を洗うための洗浄液や容器を塗布具と別に持ち歩くことを省略することも可能になる場合がある。
【００１０】
請求項２によれば、液体押し出し手段は押圧部を備え、この押圧部を１回づつ押す毎に溶き液を所定量押し出すようにしたので、適量の溶き液を正確に押し出すことができる。
【００１１】
請求項３によれば、胴部に内蔵された溶き液が消費されるとこれを外部から補充できる。したがって使い捨てにならず、長期間使用が可能になる。
【発明を実施するための最良の形態】
【００１２】
以下、図面に基づいて塗布具として水彩画用の絵筆に適用した一実施形態を説明する。図１は本実施形態に係る水彩画用の絵筆１の軸方向断面図である。この絵筆１は中空の胴部２と、その一端に設けられた穂先３と、この外側を着脱自在に覆うキャップ４と、胴部２の他端側に設けられた液体押し出し手段５とを備える。
【００１３】
穂先３は毛筆用の筆と同じく毛で構成されることが好ましいが、フェルトペンにおけるフェルトなど、溶き液を含浸できる多孔質のものも可能であり、これらを総称して毛様体ということにする。穂先３としてこのような毛様体を使用できる。
【００１４】
胴部２は樹脂等の比較的剛性のある適宜材料からなる中空の円筒状をなし、中空部はシリンダ状のタンクをなす。この胴部２の軸端にねじ込み式で液体押し出し手段５が着脱自在に取付けられている。
【００１５】
液体押し出し手段５は外端側へ出入自在に突出するノック部６を備える。このノック部６は押圧部の一例であり、これを１回押す毎に液体押し出し手段５の内端、すなわち胴部２の中空部内に臨むピストン７を胴部２の軸線方向へ押し出す機構を有する。
【００１６】
ピストン７は外周面が胴部２の中空部内面へ液密に密着摺動し、胴部２内に充填された溶き液８を穂先３側へ押し出す。
【００１７】
ノック部６を１回押すことによるピストン７の移動量すなわち移動ストロークは一定になるように設定され、そのストローク量は、１回で穂先３へ押し出される溶き液８の必要量が得られるように設定されている。
【００１８】
ピストン７は、ノック部６を押す毎に所定ストロークずつ停止し、逆戻りしない。但し、溶き液８が隔壁９近傍の限界位置まで移動したときは、液体押し出し手段５に対して所定の戻し操作をすることにより、溶き液８を当初の位置へ戻すことができる。
【００１９】
穂先３側となる胴部２の軸端部は隔壁９が形成され、この中央に形成された通し孔１０から溶き液通路１１が穂先３の内側へ延びている。また、通し孔１０の中に液漏れ防止部１３が収容され、溶き液８を所定以上の圧力で押し出さない非操作時には溶き液８が漏れ出さないようにしてボタ落ちを防ぐための公知の部材である。なおチェックバルブ等のバルブ機構にすることもできる。
【００２０】
また、胴部２と液体押し出し手段５の間はネジ部１４にてねじ込み式で結合するため、ピストン７を押し切って隔壁９近傍まで移動させて溶き液８が消費されてしまうと、胴部２と液体押し出し手段５を分離することにより、胴部２内へ溶き液８を補充することが自在である。したがって、使い捨てではなく長期使用が可能になる。
【００２１】
溶き液８は水彩絵の具のような塗布料を溶くための無色液体であり、本例の場合は水である。すなわち、水彩絵の具用の筆であれば溶き液８は水、他のものであれば溶剤等であり、使用目的に応じて適宜選択される。
【００２２】
図２は絵筆１を水彩絵の具用に使用した例を示す。１５は開閉するふた１５ａを設けた箱状をなすパレットであり、その本体部１５ｂ上に多数の色の異なる絵の具１６ａ，１６ｂ，・・・を備える。１７はふた１５ａ側に設けられた絵の具の溶き部である。また、１８は本体部１５ｂに区画して設けられた絵筆１の収容部、１９は穂先３を拭くためのスポンジ、２０は画用紙である。画用紙２０は被塗布物の一例であり、他にキャンパス等種々のものがある。
【００２３】
次に、本実施形態の使用方法を説明する。図２において、パレット１５上に予め用意されている多数の色の異なる絵の具１６ａ，１６ｂ，・・・に対して、使用する色を選び、絵筆１の穂先３で選んだ絵の具、例えば１６ａを穂先３に取って溶き部１７へ移す。続いてノック部６をノックしてピストン７を移動させることにより穂先３へ溶き液８を押し出して含ませ、穂先３を動かすことにより絵の具１６ａを溶く。
【００２４】
すると絵の具１６ａは穂先３に滲んだ溶き液８により溶解されて穂先３の表面に付着するので、通常の絵の具の筆と同様に使用でき、絵筆１を画用紙２０上へ移して穂先３を移動させることにより付着した絵の具１６ａを画用紙２０へ塗布させて着色することができる。
【００２５】
絵の具が少なくなれば絵の具を補充する。このとき、ノック部６をノックして溶き液を押し出してから、上記同様手順を反復すればよい。
【００２６】
また、色を変えるには、パレット１５から穂先３を離した状態で、数回ノック部６をノックする。すると、通常よりも多量の溶き液が押し出されるので、穂先３の表面に付着している絵の具１６ａが穂先３の内側から洗い流される。このときスポンジ１９や他の布等で穂先３を拭けばさらに容易に絵の具１６ａを拭き取ることができる。その後は上記したのと同手順で好みの別の絵の具を溶いて使用する。
【００２７】
このようにすると、色別に筆を用意することなく、１本の筆を多数色に共通利用できる。しかも、従来必要であった筆洗箱の携帯を不要にできる。なお、穂先３を洗う場合は、筆洗箱を用いて穂先３を洗うことは自由であり、この場合にも溶き液８を穂先３の内側から押し出すことにより、筆洗いを迅速にすることができる。
【００２８】
なお、本願発明は種々に応用や変形が可能である。例えば、絵筆１は水彩画のみならずアクリル絵の具等にも用いることができる。また、色鉛筆で着色描画した上に水を含ませた筆でなぞることにより水彩効果を担う方法も公知であるが、この場合の水を含ませた筆として使用できる。
【００２９】
また、着色液を筆につけて文字を書くときの筆としても使用できる。さらに、口紅用の紅筆などの化粧用の筆にも使用できる。したがって、塗布料は絵の具のみならず、他種類の着色料等からなる塗布可能物質が使用できる。
【図面の簡単な説明】
【００３０】
【図１】本実施形態に係る水彩画用の絵筆の軸方向断面図
【図２】水彩絵の具用にした使用態様を示す図
【符号の説明】
【００３１】
１：絵筆、２：胴部、３：穂先、４：キャップ、５：液体押し出し手段、６：ノック部、７：ピストン、８：溶き液、９：隔壁、１０：通し孔、１１：溶き液通路、１２：拡大室、１５：パレット、１６ａ・１６ｂ：絵の具
【図１】
2005225129.tif 000003
【図２】
2005225129.tif 000004